(57)【要約】【課題】無線機を構成する半導体などの部品の個別ばらつきによる無線機全体のゲイン変動をより簡便に抑制するためのゲイン調整方法を提供する。【解決手段】無線機を構成する半導体などの部品が、受信部、送信部双方に対し同一部品が用いられた場合、ゲインばらつきの傾向が同方向であるという性質を利用し、送信部（または、受信部）のばらつき補正の制御信号を受信部（または、送信部）の補正にも利用することによって、ゲイン調整工数を半減させることができる。【選択図】図１
2005167661.tif 000002
【特許請求の範囲】
【請求項１】
増幅機能をもつ部品、または、減衰機能をもつ部品を１つ、または、複数の組み合わせで備え、また、ゲイン可変器を備え、それらの縦続接続により構成された系列を２つ以上備え、別系列の構成部品同士の一部、または、全部が同一の製造物によって造られている回路において、ある１つの系列の出力レベルを検波し、その検波信号を同系列のゲイン可変器にフィードバックするとともに、その他の系列のゲイン可変器にもフィードバックするように構成されたことを特徴とするゲイン調整方法。
【請求項２】
前記系列の１つは、無線機における受信部で、もう一方の系列が送信部であるような２系列を備えていることを特徴とする請求項１に記載のゲイン調整方法。
【請求項３】
前記系列の１つは、無線機における受信部で、もう一方の系列がもう１つ別の受信部であるような２系列を備えていることを特徴とする請求項１に記載のゲイン調整方法。
【請求項４】
前記同一の製造物が、半導体集積回路であることを特徴とする請求項１に記載のゲイン調整方法。
【請求項５】
前記系列の１つは、無線機における受信部で、もう一方の系列が送信部であるような２系列を備えていて、前記同一の製造物が、半導体集積回路であることを特徴とする請求項１に記載のゲイン調整方法。
【請求項６】
前記系列の１つは、無線機における受信部で、もう一方の系列がもう１つの受信部であるような２系列を備えていて、前記同一の製造物が、半導体集積回路であることを特徴とする請求項１に記載のゲイン調整方法。
【発明の詳細な説明】
【技術分野】
【０００１】
本発明は無線機に関し、特に半導体などの無線機を構成している各部品ばらつきによるゲイン変動を補正する方法に関する。
【背景技術】
【０００２】
無線部は、増幅器、周波数変換器（ミキサー）、フィルタ、スイッチなどで構成されているが、これらの部品に信号を通した際の、増幅率、減衰率（増幅率、減衰率をまとめてゲインと呼ぶ）には各部品ごとに製造ばらつきがある。無線部全体としては、それらのばらつきが加算されたばらつきとなる。このばらつきは、無線特性である受信感度、隣接波選択度、送信出力レベル、隣接チャネル漏洩電力などの無線基本特性の変動となる。ばらつきを含めた最悪値が無線機性能となり、無線機性能がばらつきによって劣化してしまうという短所を有している。
【０００３】
そこで、無線機を構成した後ゲイン測定を実施し、ゲイン可変器などによりばらつきを補正するという方法は広く用いられている。
【０００４】
また、受信回路の電気的特性を送信回路に送り、それによって送信回路の出力レベルを制御する方法もある。
【０００５】
なお、この出願の発明に関する先行技術文献情報としては、例えば、特許文献１が知られている。
【特許文献１】特開平０３−２８３７４１号公報
【発明の開示】
【発明が解決しようとする課題】
【０００６】
しかしながら、無線機１台毎にゲイン測定と補正を実施すると、出荷時の工数増大、製造コストアップという問題が起きる。
【０００７】
前記に鑑み、本発明は、工数増大、製造コストアップを抑えたうえで、ばらつきによる無線機性能劣化を補正し、無線性能のばらつきによる劣化を防止することを目的とする。
【課題を解決するための手段】
【０００８】
前記の目的を達成するため、本発明は、たとえば、受信部、送信部を備えた無線機に適用し、かつ、受信部の一部分と送信部の一部分が同一の半導体などの部品で構成されている無線機に適用する。受信部、送信部の回路が同一の部品で構成されている場合は、そのゲインのばらつき傾向が同方向である性質を利用し、送信部（または、受信部）のばらつき補正の制御信号を受信部（または、送信部）の補正にも使用する。
【０００９】
本発明によると、受信部、送信部、それぞれ１回ずつ、すなわち合計２回補正することにより得られる効果を、１回の補正でほぼ代用することができる。
【発明の効果】
【００１０】
本発明によると、それぞれ補正を実施する場合に比べ、補正の工数を約半分にすることができる。
【発明を実施するための最良の形態】
【００１１】
（第１の実施形態）
以下、本発明の第１の実施形態に係るゲイン調整方法について、図面を参照しながら説明する。
【００１２】
まず、図１において、１０１はアンテナ、１０２はアンテナスイッチ、１０３はフィルタ１、１０４は増幅器１、１０５は周波数変換器１、１０６はフィルタ２、１０７はゲイン可変器１、１０８は周波数変換器２、１０９は増幅器２である。１０１から１０９により受信部を構成している。また、１１２は増幅器３、１１３はフィルタ３、１１４は増幅器４、１１５は周波数変換器３、１１６は周波数変換器４、１１７はゲイン可変器２である。１０１、１０２、および、１１２から１１７により送信部を構成している。送信部を構成している各部品の個別ばらつきによる送信出力レベルの変動を抑えるため、増幅器３（１１２）の出力１２０を、外部計測器である送信出力レベル検波器１１９に入力し、そのレベル検波後の出力１２１をゲイン可変器２（１１７）に入力し、送信出力レベルが一定のレベルになるようにフィードバックループを構成する。増幅器１（１０４）、周波数変換器１（１０５）、増幅器４（１１４）、および、周波数変換器３（１１５）は同一の半導体１（１１０）に集積化され、また、周波数変換器２（１０８）、増幅器２（１０９）、周波数変換器４（１１６）、および、ゲイン可変器２（１１７）についても同一の半導体２（１１１）に集積化されている。受信部、および、送信部のゲインばらつきは、前記の半導体１（１１０）、および、半導体２（１１１）のばらつきが支配的であり、また、同一の半導体に集積化された回路のゲインばらつき傾向は、同一方向であるという性質を利用し、前記の送信出力レベル検波器１１９の出力１２１は受信部のゲイン補正に利用すべく、ゲイン可変器１（１０７）にも入力する。レベル検波後出力１２１の値は、メモリ１１８に保存する。調整終了後は、外部計測器である送信出力レベル検波器１１９は取り除かれ、該フィードバックループは解消するが、解消後においてもメモリ１１８に保存された値はゲイン可変器２（１１７）、および、ゲイン可変器１（１０７）に供給され続ける。第１の実施形態によると、受信部のゲインばらつきを受信部の出力レベル１２２などを測定することなしに、補正することが可能になり、受信部、送信部のゲインばらつき補正を１回の操作で実現でき、工数の半減が可能になる。
【００１３】
（第２の実施形態）
以下、本発明の第２の実施形態に係るゲイン調整方法について、図面を参照しながら説明する。
【００１４】
まず、図２において、２０１はアンテナ、２０２はダイバシティスイッチ、２０３はフィルタ１、２０４は増幅器１、２０５は周波数変換器１、２０６はフィルタ２、２０７はゲイン可変器１、２０８は周波数変換器２、２０９は増幅器２である。２０１から２０９により受信部１を構成している。また、２１２はフィルタ３、２１３は増幅器３、２１４は周波数変換器３、２１５はフィルタ４、２１６はゲイン可変器２、２１７は周波数変換器４、２１８は増幅器４である。２０１、２０２、および、２１２から２１８により受信部２を構成している。受信部２を構成している各部品の個別ばらつきによる受信出力レベルの変動を抑えるため、増幅器４（２１８）の出力２２１を、外部計測器である受信出力レベル検波器２２０に入力し、そのレベル検波後の出力２２２をゲイン可変器２（２１６）に入力し、受信部２の出力レベルが一定のレベルになるようにフィードバックループを構成する。増幅器１（２０４）、周波数変換器１（２０５）、増幅器３（２１３）、および、周波数変換器３（２１４）は同一の半導体１（２１０）に集積化され、また、周波数変換器２（２０８）、増幅器２（２０９）、周波数変換器４（２１７）、および、増幅器４（２１８）についても同一の半導体２（２１１）に集積化されている。受信部１、および、受信部２のゲインばらつきは、前記の半導体１（２１０）、および、半導体２（２１１）のばらつきが支配的であり、また、同一の半導体に集積化された回路のゲインばらつき傾向は、同一方向であるという性質を利用し、前記の受信出力レベル検波器２２０の出力２２２は受信部１のゲイン補正に利用すべく、ゲイン可変器１（２０７）にも入力する。レベル検波後出力２２２の値は、メモリ２１９に保存する。調整終了後は、外部計測器である受信レベル検波器２２０は取り除かれ、該フィードバックループは解消するが、解消後においてもメモリ２１９に保存された値はゲイン可変器２（２１６）、および、ゲイン可変器１（２０７）に供給され続ける。第２の実施形態によると、受信部１のゲインばらつきを受信部１の出力レベル２２３などを測定することなしに、補正することが可能になり、受信部１、受信部２のゲインばらつき補正を１回の操作で実現でき、工数の半減が可能になる。
【産業上の利用可能性】
【００１５】
以上説明したように、本発明は、無線機の部品ばらつきによるゲイン変動の補正に有用である。
【図面の簡単な説明】
【００１６】
【図１】は、第１の実施形態に係るゲイン調整方法を示すブロック図
【図２】は、第２の実施形態に係るゲイン調整方法を示すブロック図
【符号の説明】
【００１７】
１０１  アンテナ
１０２  アンテナスイッチ
１０３  フィルタ１
１０４  増幅器１
１０５  周波数変換器１
１０６  フィルタ２
１０７  ゲイン可変器１
１０８  周波数可変器２
１０９  増幅器２
１１０  半導体１
１１１  半導体２
１１２  増幅器３
１１３  フィルタ３
１１４  増幅器４
１１５  周波数変換器３
１１６  周波数変換器４
１１７  ゲイン可変器２
１１８  メモリ
１１９  送信出力レベル検波器
１２０  増幅器３出力
１２１  送信出力レベル検波器出力
１２２  増幅器２出力
２０１  アンテナ
２０２  ダイバシティスイッチ
２０３  フィルタ１
２０４  増幅器１
２０５  周波数変換器１
２０６  フィルタ２
２０７  ゲイン可変器１
２０８  周波数変換器２
２０９  増幅器２
２１０  半導体１
２１１  半導体２
２１２  フィルタ３
２１３  増幅器３
２１４  周波数変換器３
２１５  フィルタ４
２１６  ゲイン可変器２
２１７  周波数変換器４
２１８  増幅器４
２１９  メモリ
２２０  受信出力レベル検波器
２２１  増幅器４出力
２２２  受信出力レベル検波器出力
２２３  増幅器２出力
【図１】
2005167661.tif 000003
【図２】
2005167661.tif 000004